(57)【要約】      （修正有）【課題】絵柄を添えて又は単独でパソコン画面にフックにて引っ掛け、パソコン使用者の離席時、行き先、離席先等、在席、不在の有無等やパソコンそのものが故障中であるか等を表示する針金でできたパソコン行き先等表示を提供する。【解決手段】パソコン画面に針金でフックにて引っ掛けて着脱容易にし、貼る剥がす手間をなくし、フック部１には適宜滑り止めにゴム管３を使用し、フック部が上下方向で下に落下しづらくするのみならず、デスクトップパソコンのモニター部が左右斜めに傾いてもフックがモニターに滑らずに止まる。【選択図】図１
2014168633.tif 000002
【特許請求の範囲】
【請求項１】
パソコン画面にフック等で表示する表示
【請求項２】
さらに、針金でできた請求項１の表示
【請求項３】
さらに、フック部等をゴム管等で滑り止めした請求項１の表示
【請求項４】
さらに、色で識別する請求項１の表示
【請求項５】
さらに、行き先、離席先、在勤か休みか等パソコン使用者の所在等やパソコンの故障等を表示する請求項１表示。
【請求項６】
さらに、図柄等を添えて又は単独で行き先、離席先、在勤か休みか等パソコン使用者の所在等やパソコンの故障等を表示する請求項１表示。
【請求項７】
さらに、添える図柄等は、平面のみならず可能なら立体でも表現し得る請求項１の表示
【請求項８】
さらに、フックは、パソコン画面上部表から裏、そして下部へ掛けるＵ字型フックのみならず、パソコン画面の幅と表示との幅に応じて、画面左右の表から裏、パソコン上部裏と、パソコン表と、パソコン画面横から裏、上部そして下部と逆襷がけ状のフック、又は逆にパソコン画面上部表から裏、そして下部、画面左右の裏から表と襷掛け状のフック等で表示する表示。
【発明の詳細な説明】
【技術分野】
【０００１】  本発明は、絵柄を添えて又は単独でパソコン画面にフックで掛ける色つき針金による行き先等表示に関するものである。
【技術背景】
【０００２】  先に、私はパソコン画面にフックで掛ける針金による行き先等表示を出願した。
【０００３】  これは、技術背景として、パソコンの操作する机にて、離籍する際、職場なら職場の居室の行き先表示板、在宅なら家族等に言付けて外出する等が考えられ、実際もそうである。しかし、職場に行き先表示板がない場合や言付けする家族が居合わせない場合、本人がいるかどうかはパソコンの電源が入ってるかどうかで判断されることもあり、パソコン画面の電源が入っているか視線が画面に行くことがあり、パソコンの画面が点いているかどうかが、本人が在室しているかどうかの判断の為の対象となることがある。その際、電源が付いているかどうかは画面が待機状態になってることがあり、即断できない又は判断が付かないことがある。このような時、本人の所在を知らせる表示が、パソコンの電源が切れているかそれとも一時的に待機状態なのかに関わらず、表示があれば本人も周りの本人以外の者も便利である。
【０００４】  このため、パソコン画面に色付き付箋やメモ用紙をセロテープ等で貼り「帰宅します」とか「昼食中です」とか「会議中です」という表示もなされる。しかし、付箋は仮止めなため、剥がれたり表示が小さすぎることもあり、付箋以外のメモ用紙をセロテープ等で貼ることも、パソコン画面のモニターは、画面以外の枠の部分が細く、付箋等を貼ることを想定していないため、付箋等を貼るスペースが十分出ないことが多い。このため、パソコンの電源を切り使用していないときはやむなく画面上に貼ることも可能だが、使用中の場合、画面の閲覧に支障が出ることもある。
【０００５】  また、出退勤表示や会議等スケジュール管理のソフトウェアも市販されている。当然、これらはパソコンの電源が入っているときのみパソコンで閲覧・書き込み・修正等使用可能であるが、電源が入っていなければ使用できない。また、電源が入っていても、パソコン画面が待機状態になれば、一時的にせよ画面で閲覧できない状態となり、画面再開にはクリック等操作が必要になってくる。本人以外がパソコンを閲覧するには、パスワード等入力を要するパソコンなら、離席中のパソコンを本人以外の第三者が本人の所在を確かめるには、再度自分の席に戻り、自分のパソコンを開いて確かめることも必要となる。
【０００６】  そこで、パソコン画面に針金でフックにて引っ掛けて着脱容易にし、貼る剥がす手間をなくし、所在を表示する表示があれば、職場でも在宅でも有効ではないかと考えた。針金は軽く錆びにくいだけでなく、パソコン画面が電源ｏｎのときは明るく針金の色を白以外で作成すればよく、パソコン画面がｏｆｆのときは画面は黒色であり、針金を白色で作成すれば識別性を高められる。離席する用事で、典型的な用件「会議中」「帰宅」「昼食」「出張」の表示が、その人が在席するか離席しているか、不在かよく視線が行くパソコン画面に表示があれば、その識別がより容易に行われるのではないかと考えた。また行き先だけでなく、パソコンそのものが故障している場合、故障という表示も有用であると考えた。そしてその表示は、針金による絵文字によるもので、日本語の漢字、複雑で表現が難しい場合は平仮名や片仮名での代筆で通用するもの、乃至英語標記であった。
【０００７】  これに、現代日本の職場や家庭環境を鑑みるに、日本語や英語を解さない非英語圏からの外国人が珍しくなくなった事情を踏まえれば、簡単な図柄を添えれば尚理解されやすいだろうということに気が付いた。理解できない簿時の羅列と認識されるより、万国共通で通じることのあるジェスチャーや絵柄、これを針金で表現可能であれば、視認性、注意喚起度が高まるのみならず、また離席をするのにいちいちトイレ等言付けしたりパソコンの予定表に入れることが憚れる予想の付かない行動で、それでいて黙ってトイレ等にに離席するのも逆に気兼ねする悩ましい行動も、本発明をさりげなくパソコンに引っ掛けて離席することで、気軽にすることが出来る職場や在宅のリラックス環境を提供することが可能となる。
【発明が解決しようとする課題】
【０００８】  パソコンの画面が点いているかどうかが、本人が在室しているかどうかの判断の為の対象となることがある。その際、電源が付いているかどうかは画面が待機状態になってることがあり、即断できない又は判断が付かないことがある。このような時、本人の所在を知らせる表示が、パソコンの電源が切れているかそれとも一時的に待機状態なのかに関わらず、表示があれば本人も周りの本人以外の者も便利である。
【０００９】  このため、パソコン画面に色付き付箋やメモ用紙をセロテープ等で貼り「帰宅します」とか「昼食中です」とか「会議中です」という表示もなされる。しかし、付箋は仮止めなため、剥がれたり表示が小さすぎることもあり、付箋以外のメモ用紙をセロテープ等で貼ることも、パソコン画面のモニターは、画面以外の枠の部分が細く、付箋等を貼ることを想定していないため、付箋等を貼るスペースが十分出ないことが多い。このため、パソコンの電源を切り使用していないときはやむなく画面上に貼ることも可能だが、使用中の場合、画面の閲覧に支障が出ることもある。
【課題を解決するための手段】
【００１０】  パソコン画面に針金でフックにて引っ掛けて着脱容易にし、貼る剥がす手間をなくし、所在を表示する表示があれば、職場でも在宅でも有効ではないかと考えた。針金は軽く錆びにくいだけでなく、パソコン画面が電源ｏｎのときは明るく針金の色を白以外で作成すればよく、パソコン画面がｏｆｆのときは画面は黒色であり、針金を白色で作成すれば識別性を高められる。離席する用事で、典型的な用件「会議中」「帰宅」「昼食」「出張」の表示が、その人が在席するか離席しているか、不在かよく視線が行くパソコン画面に表示があれば、その識別がより容易に行われるのではないかと考えた。また行き先だけでなく、パソコンそのものが故障している場合、故障という表示も有用であると考えた。
【００１１】  パソコン画面に針金でフックにて引っ掛けて着脱容易にし、貼る剥がす手間をなくし、所在を表示する表示があれば、職場でも在宅でも有効ではないかと考えた。針金は軽く錆びにくいだけでなく、パソコン画面が電源ｏｎのときは明るく針金の色を白以外で作成すればよく、パソコン画面がｏｆｆのときは画面は黒色であり、針金を白色で作成すれば識別性を高められる。
【００１２】  フック部には、滑り止めに適宜ゴム管を使用する。これは、フック部が上下方向で下に落下しづらくするのみならず、デスクトップパソコンのモニター部が左右斜めに傾いてもフックがモニターに滑らずに止まることに寄与する。大きなデスクトップ型パソコンは、画面上部にフックにて吊り下げ、比較的画面の小さなモバイルノート型パソコン等で左右の幅が広くなく表示が垂れてしまうなら、フック部を画面横から上へ逆襷掛け状に掛け又は画面上から横へ襷掛け状に掛け伸ばすことが可能である。
【００１３】  フックを離席する用事で、典型的な用件「会議中」「帰宅」「昼食」「出張」の表示が、その人が在席するか離席しているか、不在かよく視線が行くパソコン画面に表示があれば、その識別がより容易に行われるのではないかと考えた。また行き先だけでなく、パソコンそのものが故障している場合、故障という表示も有用であると考えた。そしてその表示は、針金による絵文字によるもので、日本語の漢字、複雑で表現が難しい場合は平仮名や片仮名での代筆で通用するもの、乃至英語標記であった。
【００１４】  これに、現代日本の職場や家庭環境を鑑みるに、日本語や英語を解さない非英語圏からの外国人が珍しくなくなった事情を踏まえれば、簡単な図柄を添えれば尚理解されやすいだろうということに気が付いた。理解できない文字の羅列と認識されるより、万国共通で通じることのあるジェスチャーや絵柄、これを針金で表現可能であれば、視認性、注意喚起度が高まるのみならず、また離席をするのにいちいちトイレ等言付けしたりパソコンの予定表に入れることが憚れる予想の付かない行動で、それでいて黙ってトイレ等にに離席するのも逆に気兼ねする悩ましい行動も、本発明をさりげなくパソコンに引っ掛けて離席することで、気軽にすることが出来る職場や在宅のリラックス環境を提供することが可能となる。
【発明の効果】
その人が在席するか離席しているか、その識別が日本語や英語を解さない非英語圏からの外国人より容易になった。理解できない簿時の羅列と認識されるより、万国共通で通じることのあるジェスチャーや絵柄、これを針金で表現可能であれば、視認性、注意喚起度が高まるのみならず、また離席をするのにいちいちトイレ等言付けしたりパソコンの予定表に入れることが憚れる予想の付かない行動で、それでいて黙ってトイレ等にに離席するのも逆に気兼ねする悩ましい行動も、本発明をさりげなくパソコンに引っ掛けて離席することで、気軽にすることが出来る職場や在宅のリラックス環境を提供することが可能となった。
【図面の簡単な説明】
【図１】本発明の正面図である。
【図２】本発明の正面図である。
【図３】本発明の正面図である。
【図４】本発明の正面図である。
【図５】本発明の正面図である。
【図６】本発明の断面図である。
【図７】本発明の断面図である。
【図８】本発明の断面図である。
【図９】本発明の斜見図である。
【図１０】本発明の斜見図である。
【図１１】本発明の斜見図である。
【図１２】本発明の斜見図である。
【図１３】本発明の斜見図である。
【図１４】本発明の斜見図である。
【発明を実施するための形態】
本発明を実施するための形態を説明する。
【符号の簡単な説明】
１  行き先表示フック部
２  行き先表示部
３  ゴム管
４  図柄
５  絵文字
６  ノート型パソコン本体
７  デスク型パソコン本体
【図１】
2014168633.tif 000003
【図２】
2014168633.tif 000004
【図３】
2014168633.tif 000005
【図４】
2014168633.tif 000006
【図５】
2014168633.tif 000007
【図６】
2014168633.tif 000008
【図７】
2014168633.tif 000009
【図８】
2014168633.tif 000010
【図９】
2014168633.tif 000011
【図１０】
2014168633.tif 000012
【図１１】
2014168633.tif 000013
【図１２】
2014168633.tif 000014
【図１３】
2014168633.tif 000015
【図１４】
2014168633.tif 000016